(57)【特許請求の範囲】
【請求項１】
箱本体の上面に開閉自在な蓋部材を有し、かつ、箱本体の周壁を構成する側板の上面にモール部材を嵌着してなる蓋付き箱であって、
前記蓋部材には、箱本体の上面に被さる蓋板の一側縁にヒンジ部を介して固定片を連設し、
一方、少なくとも固定片に対応する箱本体のモール部材には、縦長長方形の内部の中心を上下に仕切ってその下側に前記側板用の主溝を形成すると共に上側に固定片用の副溝を形成し、
さらにその主溝と副溝の横に袋溝を形成し、
前記主溝に側板の上縁を差し込むと共に副溝に蓋部材の固定片を差し込み、さらに前記側板と固定片の端を折り返して形成した夫々の重合部を前記袋溝に嵌め込んでモール部材と固定片及びモール部材と側板を一体化するようにした蓋付き箱。
【請求項２】
前記蓋板には、固定片と対向する側の端縁に差込み片を形成し、
一方、該差込み片に対応する箱本体のモール部材には、前記側板用の主溝と差込み片用の副溝を形成し、
前記副溝に蓋部材の差込み片を抜き差しし得るようにしてなることを特徴とする請求項１記載の蓋付き箱。
【発明の詳細な説明】
【０００１】
【発明の属する技術分野】
本発明は、箱本体の開口上面に開閉自在な蓋部材を設けてなる蓋付き箱に関する。
【０００２】
【従来の技術】
従来、図９に示したような折り畳み構造の箱１００がある（特開平６−１３５４４０号）。この箱１００は、プラスチック段ボール製であって、四角形の底板１０１の四辺に周壁を構成する側板１０２ａ〜１０２ｄを立設し、向かい合う二つの側板１０２ａ，１０２ｃをその上縁を中心にして内向きに揺動自在となし、残る二つの側板１０２ｂ，１０２ｄを中央の折曲線１０３を中心にして屏風折り自在とし、そのような側板１０２ａ〜１０２ｄの組合せにより扁平な状態に折り畳み自在としたものである。前記側板１０２ａ〜１０２ｄには断面下向きコ字状のモール部材１０４ａ〜１０４ｄが嵌着されており、また、モール部材１０４ａ〜１０４ｄ同士の突き合わさる部分にコーナー部材１０５がモール部材１０４ａ（１０４ｂ〜１０４ｄ）及び側板１０２ａ（１０２ｂ〜１０２ｄ）と一体に鋲１０６で止着されている。
【０００３】
【発明が解決しようとする課題】
而して、上記の箱において使用の態様により開口上面に開閉自在な蓋部材１０７（図９一点鎖線参照）を取り付けたい場合があるが、従来は、そのような蓋部材１０７を取り付けるための手段がなかった。
【０００４】
【課題を解決するための手段】
本発明は、上記に鑑みなされたもので、箱本体の上面に開閉自在な蓋部材を有し、かつ、箱本体の周壁を構成する側板の上面にモール部材を嵌着してなる蓋付き箱であって、前記蓋部材には、箱本体の上面に被さる蓋板の一側縁にヒンジ部を介して固定片を連設し、一方、少なくとも固定片に対応する箱本体のモール部材には、縦長長方形の内部の中心を上下に仕切ってその下側に前記側板用の主溝を形成すると共に上側に固定片用の副溝を形成し、さらにその主溝と副溝の横に袋溝を形成し、前記主溝に側板の上縁を差し込むと共に副溝に蓋部材の固定片を差し込み、さらに前記側板と固定片の端を折り返して形成した夫々の重合部を前記袋溝に嵌め込んでモール部材と固定片及びモール部材と側板を一体化するようにした蓋付き箱を提供する。これにより、側板の上端にモール部材を被せた構造の箱に対して容易に蓋部材を取り付けることが可能である。さらに、固定片を副溝に差し込むことで蓋部材の位置決めが容易かつ正確に行える。
【０００５】
また、第二発明のように、前記蓋板には固定片と対向する側の端縁に差込み片を形成し、一方、該差込み片に対応する箱本体のモール部材には前記側板用の主溝と差込み片用の副溝を形成し、前記副溝に蓋部材の差込み片を抜き差しし得るようにすることもできる。これにより、蓋部材の浮き上がりが防止できると共に、箱本体と蓋部材の隙間もなくなるから密閉性が高まる。
【０００６】
【発明の実施形態１】
以下に本発明の実施形態１を図１〜図５を参照しつつ説明する。なお、図１は蓋付き箱の斜視図、図２は要部を示す正面図、図３は図２のＸ−Ｘ線断面図、図４は図２のＹ−Ｙ線断面図、図５は要部を示す分解斜視図である。
【０００７】
箱本体１は、プラスチック段ボールを使った折り畳み自在構造であって、四角形の底板２の四辺に周壁を構成する側板３ａ〜３ｄを配設し、向かい合う二つの側板３ａ，３ｃをその上縁を中心にして内向きに揺動自在となし、残る二つの側板３ｂ，３ｄを中央の折曲線４を中心にして屏風折り自在とし、そのような側板３ａ〜３ｄの組合せにより扁平な状態に折り畳み得る。
【０００８】
なお、周知のようにプラスチック段ボールは、例えば、約０．４ｍｍ程度の板厚である合成樹脂（ポリプロピレン）製の基板二枚の間に段ボール紙の波芯に相当する仕切板を多数連設した形態であって、全体が約５ｍｍ程度の厚さである。前記側板３ａ〜３ｄの各ヒンジ部（折曲線４や側板３ａ，３ｃの上縁）は、プラスチック段ボールの基板を一枚だけ残して切込線を入れ、その残った一枚の基板を曲げ伸ばしするようにしたものである。
【０００９】
前記側板３ａ〜３ｄの上縁には合成樹脂製のモール部材５ａ〜５ｄが嵌着されている。側板３ａ，３ｃの上縁に設けたモール部材５ａ，５ｃは、断面下向きコ字状の公知構造であって、下向きに開口する溝に側板３ａ，３ｃが嵌っている。また、側板３ｂ，３ｄの上縁に設けたモール部材５ｂ，５ｄは、図３に示したように、側板用の主溝６の横に逆向き（上向き）に開口する副溝７を併設した構造である。
【００１０】
モール部材５ａ〜５ｄ同士は四つのコーナー部材８，８…によって四角く連結されている。各コーナー部材８は、合成樹脂の一体成型品であって、Ｌ字型の水平板８ａと、該水平板８ａの両側縁から下向きに垂設した二片のクランプ板８ｂ，８ｂと、水平板８ａの外側縁に上向きに突設した囲い枠８ｃとからなる。二片のクランプ板８ｂ，８ｂは、前記モール部材５ａ〜５ｄの外側に跨る間隔と高さを有する。モール部材５ｂ，５ｄは、副溝７を併設した分だけ他のモール部材５ａ，５ｃより幅広であるため、クランプ板８ｂ，８ｂの間隔もそれに合わせて幅広く設定してある。
【００１１】
モール部材５ａ，５ｃと側板３ａ，３ｃ及びコーナー部材８は、モール部材５ａ（５ｃ）の両端にコーナー部材８を嵌め、さらにモール部材５ａ（５ｃ）の溝に側板３ａ（３ｃ）を差し込んだ状態でそれら三者を鋲９で一体に止めるようにしてある。
【００１２】
モール部材５ｄには蓋部材１０が取り付いている。該蓋部材１０は、四つのコーナー部材８，８…の囲い枠８ｃに内接するような長方形より若干小さくした四角い蓋板１０ａと、該蓋板１０ａの一側縁にヒンジ部１０ｂを介して連設した固定片１０ｃと、その固定片１０ｃと対向する側の端縁に設けた差込み片１０ｄとからなる。
【００１３】
蓋部材１０の固定片１０ｃは、蓋板１０ａの横幅とほぼ同じ長さに形成され、固定片１０ｃの端縁が副溝７の底に当たった位置を基準にして所定の高さにヒンジ部１０ｂが形成されている。従って、固定片１０ｃをモール部材５ｄの底に当たるまで一杯に差し込み、また、両横をモール部材５の縁にあわせれば、簡単かつ正確に蓋部材１０の位置決めができる。なお、ヒンジ部１０ｂは、プラスチック段ボールの基板一枚を残してＶ字状に切り込んだものである。Ｖ字の切込線は角度が９０度以上の鈍角に開いていることが望ましい。もし、その切込線の角度が９０度未満であると、閉じた蓋部材１０を浮かせる力がヒンジ部１０ｂに作用するが、切込線の角度を９０度以上の鈍角に開いておけば、そのような力がヒンジ部１０ｂに作用しないから蓋部材１０が浮き上がらない。また、蓋板１０ａと固定片１０ｃの境界部分にはコーナー部材８との干渉を回避するための切込部１１，１１が両側に設けられている。
【００１４】
蓋部材１０と側板３ｄとモール部材５ｄは、モール部材５ｄの副溝７に蓋部材１０の固定片１０ｃを差込み、一方、主溝６に側板３ｄを差込み、さらにモール部材５ｄの両端にコーナー部材８を嵌め合わせ、これら四者を鋲９で一体に止めるようにしてある。
【００１５】
なお、この実施形態１は、前記鋲９が固定片１０ｃの抜け止め手段として機能しているが、そのような固定片１０ｃの抜け止め手段は鋲９以外にも考えられる。例えば、固定片１０ｃの横幅を、前記鋲９の手前までの長さで、かつ、コーナー部材８の水平板８ａから抜け出でない長さに設定するようにすればよい。この場合、コーナー部材８の水平板８ａが抜け止め手段として機能する。但し、実施形態１のように、副溝７の全域に固定片１０ｃを差し込ませた構造は、前記のように固定片１０ｃの横幅を短くして副溝７の両端を空間として残しておく構造より強度が高まるから好ましい。
【００１６】
モール部材５ｂは、前記モール部材５ｄと同種の型材を前後反転させて使用するものであって、主溝６に側板３ｂの上端を差込み、副溝７を開放状態に残したまま両端にコーナー部材８を嵌め、これら三者を鋲９で一体に止めるようにしてある。なお、副溝７の両端であってコーナー部材８に対応する部分にプラスチック段ボール製の短冊片を入れ、それを前記鋲９で一緒に止めるようにしてもよい。そうすることにより、鋲止めによる副溝７の変形（潰れ）を防止し、後述する差込み片１０ｄの差込みを円滑にすることができる。
【００１７】
ところで前記蓋部材１０の差込み片１０ｄは、蓋板１０ａと直交する向きに熱変形させたものであって、両端がコーナー部材８の水平板８ａの長さに相当する分だけ切除されている。なお、実施形態１の差込み片１０ｄは、前記のように熱変形させたものであって直角に曲がった形態で固まっているが、前記ヒンジ部１０ｂのようにＶ字状の切込線を形成して屈曲自在な形態にすることもできる。
【００１８】
実施形態１の蓋付き箱は以上のように構成されているため、蓋部材１０が箱本体１と一体で、かつ、ヒンジ部１０ｂを中心にして開閉自在である。そして、閉じた蓋部材１０の差込み片１０ｄをモール部材５ｂの副溝７に差し込んでおけば、蓋部材１０の浮き上がりが防げる。
【００１９】
【発明の実施形態２】
次ぎに、図６，図７により発明の実施形態２について説明する。なお、図６は要部の中央縦断面図、図７はコーナー部材を通る要部の縦断面図である。この実施形態２は、前記モール部材５ｂ，５ｄの主溝６と副溝７を上下方向に配置して併設した点に特徴がある。また、このモール部材５ｂ，５ｄの主溝６と副溝７は、その横にプラスチック段ボール一枚分の袋溝１２，１２を増設した構造であり、側板３ｂ，３ｄの上縁にプラスチック段ボールの基板一枚を残して折り返した重合部１３、または固定片１０ｃの下縁にプラスチック段ボールの基板一枚を残して折り返した重合部１４を該袋溝１２，１２内に嵌めて側板３ｂ，３ｄ及び固定片１０ｃとモール部材５ｂ，５ｄの一体性を強化するようにしてある。この場合、袋溝１２と重合部１４の組合せは固定片１０ｃの抜け止め手段としても機能する。なお、袋溝１２，１２と重合部１３，１４の組合せは、小さい蓋付き箱に対して比較的効果が薄いため、特に設けなくても実施可能である。しかし、大きい蓋付き箱では、コーナー部材８とコーナー部材８のスパンが長くなるため、袋溝１２と重合部１３，１４の組合せによりモール部材５ｄと側板３ｄ及び固定片１０ｃとの結合が全長に及ぶ、という構造上の特徴が強度上有利に作用する。因に、このような袋溝１２と重合部１３，１４の組合せ構造を実施することなく大きな蓋付き箱を製造する場合には、コーナー部材８とコーナー部材８のスパンの途中にモール部材５ｄと側板３ｄを結合するための鋲が別途必要になる。
【００２０】
【発明の実施形態３】
図８は実施形態３を示すもので、要部の縦断面図である。この実施形態３は、モール部材５ｂ，５ｄの主溝６と副溝７を融合させて一本化し、固定片１０ｃを二つ折りに曲げ返すようにした点に特徴がある。固定片１０ｃの曲げ返しは、前記ヒンジ部１０ｂのようなＶ字の切込線を二本平行に設けることにより容易である。この実施形態３において固定片１０ｃの抜け止め手段は鋲９である。固定片１０ｃを曲げ返す方向は図８のようにモール部材５ｄの外側とする方法と、図示しないがモール部材５ｄの内側とする方法がある。そして、固定片１０ｃの曲げ返しをモール部材５ｄの外側とした場合には固定片１０ｃが外部に露出することになるが、曲げ返した部分（図８中符号Ｓ参照）がプラスチック段ボールの基板で覆われていて危険な切断面が露出しないから手などを引っ掛けても指を切るおそれがない。
【００２１】
以上本発明を実施形態１〜３により説明したが、もちろん本発明は上記各実施形態に限定されるものではない。例えば、実施形態では箱本体１を折り畳み自在な構造としたが、折り畳み構造でない箱本体に対してもそのまま適用可能である。また、箱本体１や蓋部材１０を構成する素材は、プラスチック段ボール以外のもの（例えば合成樹脂の厚板、板紙、紙製段ボール、木板、金属板など）であってもよい。また、側板３ａ，３ｃに対応するモール部材５ａ，５ｃをモール部材５ｂ，５ｄと同種の型材に変更して副溝付きとし、さらに蓋板１０ａの両側にも差込み片１０ｄと同一構造（高さの多少の相違は構わない。）の差込み片を設け、以てモール部材５ａ〜５ｃの副溝に蓋板１０ａの三つの差込み片を差し込むようにすることも可能である。そうすることにより、蓋部材１０の密閉性能が向上する。
【００２２】
【発明の効果】
本発明の蓋付き箱は、モール部材の上下位置に主溝と副溝を並べて設けると共に蓋部材に固定片を形成し、該固定片を副溝に差し込むようにしたため、側板の上端にモール部材を嵌めた箱に対しても開閉自在な蓋部材を一体に取り付けることができる。また、固定片を副溝に差し込むことで蓋部材の位置決めが容易かつ正確に行えるから、良質の製品を量産することが可能である。
【００２３】
また、第二発明のように、前記蓋板には固定片と対向する側の端縁に差込み片を形成し、一方、該差込み片に対応する箱本体のモール部材には前記側板用の主溝と差込み片用の副溝を形成し、前記副溝に蓋部材の差込み片を抜き差しし得るようにすれば、蓋部材の浮き上がりが防止できると共に、箱本体と蓋部材の隙間も少なくなるから密閉性が向上する、などの効果がある。
【図面の簡単な説明】
【図１】  蓋付き箱の斜視図である。
【図２】  要部を示す正面図である。
【図３】  図２のＸ−Ｘ線断面図である。
【図４】  図２のＹ−Ｙ線断面図である。
【図５】  要部を示す分解斜視図である。
【図６】  要部の中央縦断面図である。
【図７】  コーナー部材を通る要部の縦断面図である。
【図８】  要部の縦断面図である。
【図９】  従来技術を示す斜視図である。
【符号の説明】
１    …箱本体
３ａ〜３ｄ…側板
５ａ〜５ｄ…モール部材
６    …主溝
７    …副溝
１０  …蓋部材
１０ａ…蓋板
１０ｂ…ヒンジ部
１０ｃ…固定片
１０ｄ…差込み片
１２  …袋溝
１４  …重合部
【図１】
0003813264.tif 000002
【図２】
0003813264.tif 000003
【図３】
0003813264.tif 000004
【図４】
0003813264.tif 000005
【図５】
0003813264.tif 000006
【図６】
0003813264.tif 000007
【図７】
0003813264.tif 000008
【図８】
0003813264.tif 000009
【図９】
0003813264.tif 000010